(57)【要約】【課題】原稿のコピー時においても、その原稿に求められる所望の印刷設定によって印刷できるようにすることを目的とする。【解決手段】複合機１は、読取部１０３により読み取られた原稿の画像データを取得する画像データ取得部１２１と、画像データの印刷に用いられる印刷設定情報と、印刷設定情報と対応づけられた印刷設定識別ＩＤとを記憶する設定記憶部１１２と、画像データ内から印刷設定識別ＩＤを機械読み取り可能な形式で埋め込んだ画像符号情報を抽出する設定抽出部１２２と、画像符号情報が抽出された場合には、対応する印刷設定識別ＩＤに基づき対応する印刷設定情報を設定記憶部１１２から取得する設定取得部１２３と、印刷設定情報に基づいて画像データの用紙への印刷制御を行う印刷制御部１２６と、を備える。【選択図】図２
2013093676.tif 000002
【特許請求の範囲】
【請求項１】
読取部により読み取られた原稿の画像データを取得する画像データ取得手段と、
前記画像データの印刷に用いられる印刷設定情報と、前記印刷設定情報と対応づけられた識別情報とを記憶する設定記憶手段と、
前記画像データから、前記識別情報を機械読み取り可能な画像符号情報を抽出する抽出手段と、
前記画像符号情報が抽出された場合には、前記画像符号情報から読み取られる前記識別情報に対応する前記印刷設定情報を前記設定記憶手段から取得する取得手段と、
取得された前記印刷設定情報に基づいて前記画像データの前記用紙への印刷制御を行う印刷制御手段と、
を備える情報処理装置。
【請求項２】
前記印刷設定情報に対応付けられた前記識別情報から前記画像符号情報を生成して前記画像データに埋め込む設定付加手段と、を備え、
前記印刷制御手段は、前期画像符号情報が埋め込まれた前記画像データを前記用紙に印刷する制御を行うこと
を特徴とする請求項１に記載の情報処理装置。
【請求項３】
前記印刷設定情報を作成、及び変更する操作を受付ける設定受付手段をさらに備え、
前記設定記憶手段は、前記設定受付手段が受け付けた前記印刷設定情報を前記識別情報と対応付けて記憶するとともに、
前記設定付加手段は、受付けられた前記印刷設定情報と、前記印刷設定情報に対応付けられた前記識別情報とに基づき、前記画像符号情報を生成して前記画像データに埋め込むこと
を特徴とする請求項２に記載の情報処理装置。
【請求項４】
利用者ごとに利用することができる印刷機能を記憶する権限記憶手段と、
前記抽出手段により前記画像符号情報が抽出されない場合に、前記権限記憶手段に記憶された利用者が利用可能な前記印刷機能の範囲内で前記印刷設定情報を決定する決定手段と、
を備える請求項１〜３のいずれか一項に記載の情報処理装置。
【請求項５】
利用者ごとに利用することができる印刷機能を記憶する権限記憶手段をさらに備え、
前記設定受付手段は、前記利用者からの設定操作を受け付ける際には、前記権限記憶手段において記憶された当該利用者の利用可能な前記印刷機能の範囲内で前記印刷設定情報を作成、及び変更する操作を受付ける
ことを特徴とする請求項３に記載の情報処理装置。
【請求項６】
印刷ジョブに含まれる印刷データ内のフォントサイズに関する所定の条件を満たしているか否かを判断するフォントサイズ判断手段と、
印刷に利用される集約条件の割付数を前記フォントサイズが前記所定の条件を満たす範囲内で設定する集約条件設定手段と、
を備えること特徴とする請求項１〜５のいずれか一項に記載の情報処理装置。
【請求項７】
印刷ジョブに含まれる印刷データ内に絵柄画像が含まれるか否かを判断する画像有無判断手段と、
前記絵柄画像が含まれていると判断された場合に、前記印刷設定情報に含まれる印刷色情報をカラー印刷設定に変更するカラー設定手段と、
を備えることを特徴とする請求項１〜６のいずれか一項に記載の情報処理装置。
【請求項８】
前記画像データ取得手段によって、前記画像データを取得した際に当該原稿の複製枚数を累積して計測する使用枚数計測手段と、
前記使用枚数計測手段による計測枚数が所定の枚数を越えたか否かを判断する使用枚数判断手段と、
前記使用枚数判断手段による判断結果が所定の枚数を越えたと判断された場合には、前記印刷設定情報として、両面印刷、集約印刷、およびモノクロ印刷の少なくとも一つが設定される節約設定手段と、
を備えることを特徴とする請求項１〜７のいずれか一項に記載の情報処理装置。
【請求項９】
前記原稿に印刷された前記画像符号情報から抽出される前記印刷設定情報を回避する操作を受け付ける回避受付手段と、
前記回避受付手段が回避を受け付けた場合に利用者情報とともに、回避履歴を記憶する回避記憶手段と、
前記回避履歴を表示する履歴表示手段と、
を備えることを特徴とする請求項１〜８のいずれか一項に記載の情報処理装置。
【請求項１０】
読取部により読み取られた原稿の画像データを取得する画像データ取得ステップと、
前記画像データの印刷に用いられる印刷設定情報と、前記印刷設定情報と対応づけられた識別情報とを記憶する設定記憶ステップと、
前記画像データ内に、前記識別情報が機械読み取り可能な画像符号情報を抽出する抽出ステップと、
前記画像符号情報が抽出された場合には、前記画像符号情報から読み取られる前記識別情報に対応する前記印刷設定情報を前記設定記憶手段から取得する取得ステップと、
前記取得手段によって取得された前記印刷設定情報に基づいて前記画像データの前記用紙への印刷制御を行う印刷制御ステップと、
を実行する印刷処理プログラム。
【発明の詳細な説明】
【技術分野】
【０００１】
本発明は、情報処理装置、および印刷処理プログラムに関する。
【背景技術】
【０００２】
従来、利用者の属性情報に基づき、利用者ごとに利用できる印刷機能を規定し、この規定の範囲内で印刷を行うことを義務付けた印刷処理が知られている。例えば、先行技術文献１に記載の画像形成装置においては、利用者ごとに印刷ジョブの出力を制限するよう定められた制限情報を取得し、この制限情報によって規定された範囲内の印刷機能を印刷設定として利用することができる技術が示されている。
【発明の概要】
【発明が解決しようとする課題】
【０００３】
しかしながら、上述した画像形成装置においては、印刷ジョブのプリント出力時においては、利用者ごとに制限された印刷設定に含まれる印刷機能に基づき用紙への印刷を行えるが、一度出力された原稿を原本にコピーで再度印刷を行うときには、プリント出力時に設定された印刷設定で印刷を行うことができず、所望の印刷設定で印刷を行えないことになってしまう。
【０００４】
本発明は、上記に鑑みてなされたものであって、原稿のコピー時においても、その原稿に求められる所望の印刷設定によって印刷できるようにすることを目的とする。
【課題を解決するための手段】
【０００５】
上述した課題を解決し、目的を達成するために、本発明は、読取部により読み取られた原稿の画像データを取得する画像データ取得手段と、前記画像データの印刷に用いられる印刷設定情報と、前記印刷設定情報と対応づけられた識別情報とを記憶する設定記憶手段と、前記画像データから、前記識別情報を機械読み取り可能な画像符号情報を抽出する抽出手段と、前記画像符号情報が抽出された場合には、前記画像符号情報から読み取られる前記識別情報に対応する前記印刷設定情報を前記設定記憶手段から取得する取得手段と、取得された前記印刷設定情報に基づいて前記画像データの前記用紙への印刷制御を行う印刷制御手段と、を備えることを特徴とする。
【発明の効果】
【０００６】
本発明によれば、原稿のコピー時においても、その原稿に求められる所望の印刷設定によって印刷できるようになるという効果を奏する。
【図面の簡単な説明】
【０００７】
【図１】図１は、第１の実施形態の複合機のハードウェア構成例を示す図である。
【図２】図２は、第１の実施形態の複合機の構成例を示すブロック図である。
【図３】図３は、第１の実施形態の出力された原稿の態様を概略的に示す概略図である。
【図４】図４は、第１の実施形態の利用者権限テーブルを示すデータ構造図である。
【図５】図５は、第１の実施形態の権限順位テーブルの一例を示すデータ構造図である。
【図６】図６は、第１の実施形態の印刷設定テーブルの一例を示すデータ構造図である。
【図７】図７は、第１の実施形態の設定受付部により表示された画面を概略的に示す概略図である。
【図８】図８は、第１の実施形態のプリント出力時の処理の流れを示すフロー図である。
【図９】図９は、第１の実施形態のコピー時の処理の流れを示すフロー図である。
【図１０】図１０は、第２の実施形態の複合機、およびサーバ装置の構成を示すブロック図である。
【図１１】図１１は、第２の実施形態のプリント出力時の処理の流れを示すフロー図である。
【図１２】図１２は、第２の実施形態のコピー時の処理の流れを示すフロー図である。
【図１３】図１３は、第３の実施形態の複合機、およびサーバ装置の構成を示すブロック図である。
【図１４】図１４は、第３の実施形態の印刷量テーブルの一例を示すデータ構造図である。
【図１５】図１５は、第３の実施形態の印刷量対応テーブルの一例を示すデータ構造図である。
【図１６】図１６は、第３の実施形態のプリント出力時の処理の流れを示すフロー図である。
【発明を実施するための形態】
【０００８】
以下に添付図面を参照して、情報処理装置の第１の実施の形態を詳細に説明する。
（第１の実施の形態）
第１の実施の形態は、情報処理装置を複合機（画像形成装置）として具体化したものである。
【０００９】
図１は、第１の実施の形態にかかる複合機のハードウェア構成を示すブロック図である。本図に示すように、この複合機１は、コントローラ１０とエンジン部（Ｅｎｇｉｎｅ）６０とをＰＣＩ（Ｐｅｒｉｐｈｅｒａｌ  Ｃｏｍｐｏｎｅｎｔ  Ｉｎｔｅｒｆａｃｅ）バスで接続した構成となる。コントローラ１０は、複合機１全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００１０】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１６と、ハードディスクドライブ（ＨＤＤ）１８とを有し、ノースブリッジ（ＮＢ）１３とＡＳＩＣ１６との間をＡＧＰ（Ａｃｃｅｌｅｒａｔｅｄ  Ｇｒａｐｈｉｃｓ  Ｐｏｒｔ）バス１５で接続した構成となる。また、ＭＥＭ−Ｐ１２は、ＲＯＭ（Ｒｅａｄ  Ｏｎｌｙ  Ｍｅｍｏｒｙ）１２ａと、ＲＡＭ（Ｒａｎｄｏｍ  Ａｃｃｅｓｓ  Ｍｅｍｏｒｙ)１２ｂと、をさらに有する。
【００１１】
ＣＰＵ１１は、複合機１の全体制御をおこなうものであり、ＮＢ１３、ＭＥＭ−Ｐ１２およびＳＢ１４からなるチップセットを有し、このチップセットを介して他の機器と接続される。
【００１２】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００１３】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００１４】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００１５】
ＡＳＩＣ１６は、画像処理用のハードウェア要素を有する画像処理用途向けのＩＣ（Ｉｎｔｅｇｒａｔｅｄ  Ｃｉｒｃｕｉｔ）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部６０との間でＰＣＩバスを介したデータ転送をおこなうＰＣＩユニットとからなる。このＡＳＩＣ１６には、ＰＣＩバスを介してＦＣＵ（Ｆａｃｓｉｍｉｌｅ  Ｃｏｎｔｒｏｌ  Ｕｎｉｔ）３０、ＵＳＢ（Ｕｎｉｖｅｒｓａｌ  Ｓｅｒｉａｌ  Ｂｕｓ）４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース５０が接続される。操作表示部２０はＡＳＩＣ１６に直接接続されている。
【００１６】
ＭＥＭ−Ｃ１７は、コピー用画像バッファ、符号バッファとして用いるローカルメモリであり、ＨＤＤ（Ｈａｒｄ  Ｄｉｓｋ  Ｄｒｉｖｅ）１８は、画像データの蓄積、プログラムの蓄積、フォントデータの蓄積、フォームの蓄積を行うためのストレージである。
【００１７】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００１８】
図２は、複合機１を含む印刷システム全体の構成を示すブロック図である。複合機１は、ネットワークを通じて各クライアントＰＣ１３０と接続されており、これらクライアントＰＣ１３０からの印刷ジョブの指示を受信する。複合機１は、通信部１０１と、記憶部１０２と、読取部１０３と、設定受付部１０４と、制御部１０５と、印刷部１０６とを含んでいる。
【００１９】
通信部１０１は、クライアントＰＣ１３０からネットワークを通じて印刷ジョブの指示を受付け、印刷プロトコルに基づいて指示を処理し、その処理結果を複合機１内の各部へと送信する。記憶部１０２は、複合機１内で各種データを記憶する部位であり、予め設定されたデータを記憶したり、印刷ジョブによって送られてきた印刷データを一時的に記憶したりする。記憶部１０２は、権限記憶部１１１と、設定記憶部１１２とを含んでいる。
【００２０】
権限記憶部１１１は、利用者権限テーブルを含む。利用者権限テーブルは、利用者ごとに利用できる印刷機能を記憶する。利用者権限テーブルは、ユーザＩＤ、印刷色情報、両面印刷情報、および、集約印刷情報を対応づけて記憶している。ユーザＩＤは、利用者の識別情報である。印刷色情報は、印刷をカラーで行うか、モノクロで行うかの設定情報である。両面印刷情報は、印刷を両面印刷にするか片面印刷にするかの設定情報である。集約印刷情報は、印刷を集約印刷で行うか否か、及び行う場合は１ページあたりの割付数を設定するための情報である。
【００２１】
図４は、第１の実施の形態における利用者権限テーブルの一例を示すデータ構造図である。例えば、利用者権限テーブルは、ユーザＩＤがＵｓｅｒ００１を示す利用者は、印刷色情報として「カラー」が、両面印刷情報として「両面なし」が、集約印刷情報として「集約なし」をそれぞれ利用可能な権限である旨が記憶されている。
【００２２】
また、権限記憶部１１１は、権限順位テーブルを含んでいる。権限順位テーブルは、利用者権限テーブルに含まれる、印刷色情報、両面印刷情報、及び集約印刷情報それぞれの設定の順位を記憶している。
【００２３】
図５は、権限順位テーブルの一例を示すデータ構造図である。図５によれば、印刷色情報としては、順位が「１」に対応して「カラー」が、順位が「２」に対応して「モノクロ」が記憶されている。これは、「カラー」のほうが「モノクロ」よりも順位がより上位にあることを意味し、上述の利用者権限テーブルで「カラー」が対応付けられた利用者は、印刷を「カラー」、及び「モノクロ」の両方で行う権限を有している。一方、利用者テーブルで「モノクロ」が対応付けられた利用者は、「カラー」による印刷を行うことができず、「モノクロ」のみ利用可能である。ただし、この設定は絶対的なものではなく、例外的な処理を含むことができる。この例外については、後述する。
【００２４】
また、図５によれば、両面印刷情報としては、順位が「１」に対応して「両面なし」が、順位が「２」に対応して「両面あり」が記憶されている。これは、「両面なし」のほうが「両面あり」よりも順位として上位にあることを意味し、上述の利用者権限テーブルで「両面なし」が対応付けられた利用者は、印刷を「片面」、及び「両面」の両方で行う権限を有している。一方、利用者テーブルで「両面あり」が対応付けられた利用者は、「片面」での印刷を行うことはできず、「両面」での印刷のみ行うことができることを意味する。
【００２５】
また、図５によれば、集約印刷情報としては、順位が「１」に対応して「集約なし」が、順位が「２」に対応して「２  ｉｎ  １」が、順位が「３」に対応して「４  ｉｎ  １」がそれぞれ記憶されている。これは、「集約なし」のほうが「２  ｉｎ  １」及び「４  ｉｎ  １」よりも順位が上位にあることを意味し、上述の利用者権限テーブルで「集約なし」が対応付けられた利用者は、印刷を「集約なし」、「２  ｉｎ  １」、及び「４  ｉｎ  １」のいずれかで行う権限を有している。一方、利用者テーブルで「２  ｉｎ  １」が対応付けられた利用者は、「集約なし」による印刷を行うことはできず、「２  ｉｎ  １」、及び「４  ｉｎ  １」のいずれかでの印刷のみ行うことができる。なお、「２  ｉｎ  １」は、１ページあたりに２つのページを割付て印刷を行うことを意味している。この「２」を割付数という。
【００２６】
続いて、図２に示される設定記憶部１１２は、後述する原稿に印刷される画像データに埋め込まれる印刷設定を記憶するものであり、印刷設定テーブルを記憶している。印刷設定テーブルは、印刷設定識別情報と対応付けて印刷設定情報を記憶する。印刷設定情報としては、本実施形態においては、例えば、印刷色情報と、両面印刷情報と、集約印刷情報とを含むものとする。
【００２７】
図６は、印刷設定テーブルの一例を示すデータ構造図である。図６によれば、印刷設定テーブルは、印刷設定識別ＩＤ、印刷色情報、両面印刷情報、集約印刷情報が対応付けられて記憶されている。例えば、印刷設定識別ＩＤが、1のものは、印刷色情報として「カラー」、両面印刷情報として「両面なし」、集約印刷情報として「集約なし」が記憶されている。なお、印刷設定情報としては、印刷色情報、両面印刷情報、集約印刷情報のほかにも、例えば拡大／縮小情報や、印刷の縦横の設定情報といった印刷機能を含めることができる。
【００２８】
図２に示される読取部１０３は、コンタクトガラスと、照明光源とミラーとを含む走査光学系と、レンズと、画像読み取り素子とを備えている。
【００２９】
この読取部１０３は、走査光学系が移動して、コンタクトガラス上に載置された原稿に照明光源の光を照射しながら走査し、レンズを介して画像読み取り素子に原稿の画像情報を画像信号として読み込ませる。読み込まれた画像信号はデジタル化されて画像処理される。複合機１は、この画像処理により形成された画像データを印刷することができる。
【００３０】
設定受付部１０４は、印刷設定情報を作成したり、修正したりするための操作を受付ける。設定受付部１０４は、例えば図７に示されるように、複合機１の操作表示部２０上に表示させることができる。利用者は、印刷ジョブを複合機１にクライアントＰＣ１３０から送信したあとに、設定受付部１０４を操作して、印刷設定情報として、印刷色情報（「カラー」「モノクロ」）、両面印刷情報（「両面あり」「両面なし」）、集約印刷情報（「集約なし」「２  ｉｎ  １」「４  ｉｎ  １」）を選択することができる。なお、この設定受付部１０４は、複合機１ではなく、クライアントＰＣ１３０の画面上に表示し、そこで選択した設定情報をネットワークを通じて、複合機１に送信するようにすることもできる。また、利用者のユーザＩＤの入力、もしくはＩＤカードの読取などに利用できるようにしても良い。
【００３１】
制御部１０５は、複合機１の各部を制御するものであり、ＣＰＵ（Ｃｅｎｔｒａｌ  Ｐｒｏｃｅｓｓｉｎｇ  Ｕｎｉｔ）などにより実現することができる。制御部１０５は、画像データ取得部１２１と、設定抽出部１２２と、設定取得部１２３と、設定付加部１２４と、権限取得部１２５と、印刷制御部１２６とを備えている。
【００３２】
画像データ取得部１２１は、読取部１０３で読み取られたコピー用の原稿から画像データを取得する。取得した画像データは、設定抽出部１２２に送られる。コピー用の原稿のは、例えば図３に示されたようなものである。この原稿１３１は、絵柄画像１３２と、文字画像１３３と、画像符号情報１３４とを含んでいる。この画像符号情報１３４は、機械的に読み取り可能なものであり、読み取られてデコード処理がされることで、印刷設定識別ＩＤが取得される。ここで、画像符号情報としては、ＪＡＮコード、ＣＯＤＥ１２８等の規格で表される一次元バーコード、ＱＲコード（登録商標）等の２次元バーコード、英字、数字、漢字等の文字の組み合わせからなる文字列コード、特定の文様、マーク等が考えられる。この場合において、付加情報画像の配置は、元の原稿あるいは画像情報に影響を与えない（あるいは与える影響が少ない）位置であれば、任意に設定が可能である。例えば、画像枠を形成し、枠線の一部に地紋を構成したり、画像の周縁部にバーコード、ＩＤ番号、識別コード等を配置したりすることが可能である。
【００３３】
設定抽出部１２２は、取得した画像データから画像符号情報を抽出する。設定取得部１２３は、抽出された画像符号情報から印刷設定識別ＩＤを読取り、刷設定テーブルから、この印刷設定識別ＩＤと対応する印刷設定情報（印刷色情報、両面印刷情報、集約印刷情報）を取得する。
【００３４】
設定付加部１２４は、印刷ジョブを受信した際に、印刷用データに設定された印刷設定情報と印刷設定識別ＩＤとを機械読み取り可能な形式に変換（エンコード）して画像符号情報を生成し、生成した画像符号情報をファイルとして設定記憶部１１２に保存する。また、設定付加部１２４は、画像符号情報のファイル名を印刷設定識別ＩＤ及び各印刷設定情報と対応付けて、印刷設定テーブルに記憶する。印刷設定部１２３は、生成した画像符号情報を印刷される画像データの所定の位置に埋め込む。
【００３５】
権限取得部１２５は、プリント出力やコピー時に利用者が利用できる印刷機能を利用者権限テーブルから取得する。権限取得部１２５は、利用者の識別情報であるユーザＩＤを元に検索して、権限情報を取得する。
【００３６】
印刷制御部１２６は、設定取得部１２３により取得された印刷設定情報から印刷時に使用する印刷機能を決定する。そして、印刷部１０６は、印刷制御部１２６によって決定された印刷機能を利用して印刷する。
【００３７】
続いて、本実施形態におけるプリント出力時、及びコピー時に流れについて説明する。第１の実施形態の複合機１は、プリント出力時に印刷された出力用紙に、その印刷に利用された印刷設定情報が画像符号情報の形式にて印刷されており、この出力用紙を原稿としてコピーする際には、画像符号情報から印刷設定情報を取得してこの印刷設定を利用した印刷を行う処理を行う。以下、詳細な流れを図８、及び図９を用いて説明する。
【００３８】
図８は、プリント出力時の処理の流れを示したフロー図である。図８に示される処理は、利用者が所定の印刷用データの印刷ジョブを複合機１に指示した際にスタートする。まず、権限取得部１２５は、印刷ジョブとともに送信された利用者のユーザＩＤから利用者権限テーブルより対応する利用可能な印刷機能である権限情報を取得する（ステップＳ１０１）。権限情報は、印刷色情報、両面印刷情報、及び集約印刷情報を本実施形態においては含んでいる。なお、ユーザＩＤは、印刷ジョブに含まれるもののほか、印刷ジョブの送信後に、複合機１のある場所に利用者が実際に行き、そこでＩＤカードなどを読み取らせることで取得するようにしてもよい。
【００３９】
次いで、設定受付部１０４は、操作表示部２０に選択する印刷機能を表示する（ステップＳ１０２）。この際、権限情報としてその利用者が利用可能な印刷機能のみを選択可能に表示する。具体的には、設定受付部１０４は、利用可能なもののみ選択肢として表示したり、すべての選択肢を表示した上で利用可能なもののみ選択可能としたり、利用可能なものは通常の状態で表示し利用不可能なものは文字を薄く表示したりといったことを行う。なお、ステップＳ１０２、及びステップＳ１０３においては、原稿に付加する印刷設定を利用者が選択できるようににしたが、これに対して利用者ごとに予め設定された権限情報をもとに設定可能な最上位の印刷機能を印刷設定情報として自動的に設定することもできる。また、共有サーバ上に保存されている文書データなどに対しては、管理者が予め文書毎の印刷設定情報を設定して、印刷設定テーブルにこの印刷設定情報を記憶しておくこともできる。
【００４０】
設定受付部１０４は、利用者が印刷機能を選択するとその選択結果を受け取り、設定記憶部１１２に送信する（ステップＳ１０３）。設定記憶部１１２は受け取った印刷設定情報に対し新規に印刷設定識別ＩＤを作成し、印刷設定識別ＩＤと印刷設定情報とを対応付けて印刷設定テーブルに記憶する（ステップＳ１０４）。
【００４１】
印刷制御部１２６は、プリント出力のために送信された印刷用データの画像データを取得する（ステップＳ１０５）。また、設定付加部１２４は、印刷設定識別ＩＤ、及び印刷設定情報を機械読み取り可能な形式に変換して画像符号情報を生成し、この生成した画像符号情報を印刷制御部１２６が取得した画像データに埋め込む（ステップＳ１０６）。この生成された画像符号情報は、上述した印刷設定テーブルの印刷設定識別ＩＤと対応付けられて保存される。
【００４２】
そして、印刷制御部１２６は画像符号情報が埋め込まれた画像データを指定された印刷設定情報から印刷時に使用する印刷機能を決定し、印刷部１０６が印刷する（ステップＳ１０７）。以上で、プリント出力時の処理は終了する。
【００４３】
図９は、このようにしてプリント出力により印刷された出力用紙を原稿としてコピーする際の処理の流れを示したフロー図である。この処理は、コピーのために原稿を設置し、読取開始のスタートボタンを押すことで開始される。
【００４４】
まず、画像データ取得部１２１は、読取部１０３において読み込まれたコピー原稿から画像データを取得する（ステップＳ１１１）。次いで、設定抽出部１２２は、取得した画像データから画像符号情報を抽出して、画像符号情報から読み取られた印刷設定識別ＩＤを読取る（ステップＳ１１２）。ここで画像符号情報の抽出に成功した場合（ステップＳ１１３：Ｙｅｓ）、設定取得部１２３は、抽出された画像符号情報から読み取られた印刷設定識別ＩＤが設定記憶部１１２に記憶されているかを検索し、印刷設定識別ＩＤに対応する印刷設定情報（印刷色情報、両面印刷情報、集約印刷情報）を印刷設定テーブルから取得する（ステップＳ１１４）。
【００４５】
印刷制御部１２６は、この設定取得部１２３により取得された印刷設定情報に基づき、印刷時に使用する印刷機能を決定する（ステップＳ１１５）。そして、印刷部１０６は、印刷制御部１２６によって決定された印刷機能に基づき印刷を実行し、処理を終了する（ステップＳ１１６）。
【００４６】
一方、画像符号情報の抽出に失敗した場合（ステップＳ１１３：Ｎｏ）、権限取得部１２５は、利用者の識別情報であるユーザＩＤを元に検索して、プリント出力やコピー時に利用者が利用できる印刷機能を利用者権限テーブルから取得する（ステップＳ１１７）。
【００４７】
次いで、設定受付部１０４は利用者に印刷機能を選択させるための画面を表示し、選択されるまで待機する（ステップＳ１１８）。設定受付部１０４は、選択があった場合にこの選択が権限情報にて定義されたルールに違反していないか、すなわちその利用者が利用可能な印刷機能であるか否かを判断する（ステップＳ１１９）。
【００４８】
ルールに違反していない場合(ステップＳ１１９：Ｎｏ)、印刷制御部１２６は、この設定受付部１０４により選択された印刷設定情報から印刷時に使用する印刷機能を決定し、印刷部１０６による印刷を行う（ステップＳ１２０）。一方、ルールに違反している場合は（ステップＳ１２０：Ｙｅｓ）、設定受付部１０４は利用者に権限情報に違反している旨の警告を表示させ（ステップＳ１２１）、再度印刷機能を利用者に選択させる。
【００４９】
なお、ステップＳ１１８〜Ｓ１２１の処理については、利用者に印刷機能の選択肢を提示してそこから選択させる処理ではなく、利用者毎の権限情報として設定された各印刷機能のうち最も順位が上位のものを自動的に印刷設定情報として決定するといった処理や、すべて共通に予め設定された印刷設定情報を利用するといった処理に変更することもできる。
【００５０】
以上に示した第１の実施形態の複合機１では、プリント出力された原稿そのものに画像符号情報が埋め込まれ、設定抽出部１２２、及び設定取得部１２３は、コピー時にこの画像符号情報から読み取られる印刷設定識別ＩＤに対応する印刷設定情報を取得することができる。そして、印刷制御部１２６が取得した印刷設定情報から印刷時に使用する印刷機能を決定することとしたため、コピー時においてもその原稿用に設定された印刷設定が維持され、原稿を適切な印刷設定で印刷することができる。
【００５１】
例えば、コピーを行う利用者がカラーコピーを行いたいにもかかわらず、その権限を持っていない場合であっても、原稿そのものにカラーによる印刷を行う旨が設定されていれば、カラーでの印刷を行うことができる。また、通常カラーによる印刷権限を有している利用者であればコピー時にカラーによって印刷をしてしまう傾向にあるが、原稿にモノクロ印刷の設定がされている場合は、こうした不要なカラー印刷を抑制することができる。
【００５２】
また、プリント出力時に、利用者に印刷設定を選択させるのではなく、自動的に印刷設定情報が登録されるようにした場合は、利用者が意識することなく設定を出力する用紙に埋め込むことができ、利便性が向上する。
【００５３】
（第２の実施の形態）
第２の実施形態は、本発明の情報処理装置を複合機単体ではなく、共有サーバ上に機能を持たせた形で実現している。また、サーバ装置には第１の実施形態には含まれていない新たな機能が追加されている。以下詳細について図１０に基づき説明する。
【００５４】
図１０は、複合機２００及びサーバ装置３００の構成を示したブロック図である。なお、図１０においては第１の実施形態と同じ機能を有するものについては、同じ符号を付けており、説明を省略する。
【００５５】
図１０に示されるように、情報処理装置は、複合機２００とサーバ装置３００とにより構成されている。複合機２００は、通信部２０１と、読取部２０２と、設定受付部２０３と、印刷部２０４とを備えている。複合機２００においては、各部位が通信部２０１を通じてサーバ装置３００と情報を通信しながら処理を行う点が第１の実施形態の複合機１とは異なっている。したがって、情報処理装置が複合機２００とサーバ装置３００とによって構成されている。
【００５６】
サーバ装置３００は、通信部３０１と、記憶部３０２と、制御部３０３とを備えている。記憶部３０２には、第１の実施形態の記憶部１０２の構成に加え、フォントサイズ下限記憶部３２１と、回避記憶部３２２と、設定記憶部３２３と、継承処理部３３４とを有している。
【００５７】
フォントサイズ下限記憶部３２１は、プリント出力時に印刷設定情報を設定する際に、印刷のフォントサイズの最小許容値を記憶する。フォントサイズは、例えばその上下幅のピクセルのサイズによって定義されている。
【００５８】
回避記憶部３２２は、利用者が原稿のコピーの際にその原稿に設定された印刷設定情報を回避して印刷した旨の履歴を記憶するものである。この回避記憶部３２２には、回避記憶テーブルが記憶されている。回避記憶テーブルには、原稿の識別情報である、文書ＩＤと、利用者を示すユーザＩＤと、印刷が実行された時間をＹＹＹＹ／ＭＭ／ＤＤ  ００：００：００の形式で示す印刷日時情報とが含まれている。
【００５９】
設定記憶部３２３は、第１の実施形態における設定記憶部１１２の印刷設定テーブルが備える項目のほか、継承情報を含んでいる。継承情報は、その印刷設定をコピーによって出力した後も原稿上に画像符号情報の形式で保持するか否かを判断するための情報であり、「１」の場合は画像符号情報をコピー出力から削除し、「０」の場合はそのまま印刷する。
【００６０】
制御部３０３は、第１の実施形態に含まれる各部以外に新たに集約条件設定部３３１と、最小値取得部３３２と、設定回避部３３３とを有している。集約条件設定部３３１は、プリント出力時に印刷設定情報として集約条件を自動的に設定するための処理を行う。処理の詳細については後述する。
【００６１】
最小値取得部３３２は、プリント出力される印刷データ中に含まれるフォントサイズの最小サイズを取得する。取得の方法としては、文章の印刷データに含まれるフォントサイズのポイント数を取得し、集約条件から実際に表示されるサイズを算出する方法や、集約、拡大／縮小などの印刷設定が反映された状態の画像データから直接文字の縦、及び横のピクセル数を計測して取得するなどの既存の方法を採用することができる。
【００６２】
設定回避部３３３は、利用者が原稿のコピー時に原稿に埋め込まれた印刷設定情報を回避して印刷する際の処理を実行する。設定回避部３３３は、利用者からの回避の指示を受付け、回避がある場合その履歴を回避記憶部３２２に記憶する。なお、この回避記録部３２２に記録された回避履歴は、操作表示部２０を通じて利用者が閲覧することができる。
【００６３】
継承処理部３３４は、プリント時に設定する印刷情報を継承するかどうかを判断し、継承しない場合にはコピー時に印刷用の画像データから画像符号情報を除去する処理を行う。
【００６４】
続いて、第２の実施形態のプリント出力時、及びコピー時の処理の流れについて説明する。第１の実施形態と共通する処理については説明を省略する。図１１に示されるように、プリント出力時においては、印刷文書の画像データを取得した後に（ステップＳ２０１）、制御部３０３は、印刷設定情報を継承するか否かを利用者に選択させるための表示の制御を行い、この選択を処理する（ステップＳ２０２）。制御部３０３は、利用者が「継承しない」旨が選択された際にはこの継承情報の値を印刷設定情報が保存されるまで一時的に保持する。
【００６５】
最小値取得部３３２は、取得された画像データ中のフォントの最小値を取得する（ステップＳ２０３）。集約条件設定部３３１は、フォントサイズ下限記憶部３２１から予め設定されたフォントサイズの下限値を取得し（ステップＳ２０４）、印刷設定の集約条件を段階的に変更する（ステップＳ２０５）。この集約条件の変更は、まず「集約なし」から開始され、順に「２  ｉｎ  １」、「４  ｉｎ  １」という順番に、１ページあたりの割付ページ数が増えていくように変更していく。そして、集約条件設定部３３１は、この変更後の集約条件を反映した画像データを生成し、この画像データに基づき画像データ中のフォントサイズが取得した下限値以下となったかと判断する（ステップＳ２０６）。集約条件設定部３３１は、画像データ中のフォントサイズが取得した下限値以下となるまで、ステップＳ２０５、及びステップＳ２０６の処理を繰り返し、下限値以下となったときにステップＳ２０７に移行する。集約条件設定部３３１は、上述したようにステップＳ２０６の判断結果がＮｏとなるごとに、集約条件をより１ページにおける割付数が多い条件へと変更していき、例えば「集約なし」と設定した次は「２  ｉｎ  １」を集約条件として設定し、「２  ｉｎ  １」と設定した次は「４  ｉｎ  １」を集約条件として設定する。
【００６６】
画像データ中のフォントサイズが取得した下限値以下となったと判断されると、（ステップＳ２０６）、集約条件設定部３３１は、最後に設定した集約条件の割付数より一段階少ない割付数、例えば、「４  ｉｎ  １」の条件だった場合には「２  ｉｎ  １」を印刷設定条件として決定する（ステップＳ２０７）。そして、集約条件設定部３３１は、新たに印刷設定識別ＩＤを作成し、この印刷設定識別ＩＤと対応付けて集約条件、及び継承情報、画像符号情報を印刷設定テーブルに記憶する。なお、ここで割付数の設定は、必ずしも一段階少ない割付数でなくともよく、フォントサイズとして許容する設定条件として決められた範囲内の割付数であればよい。
【００６７】
次いで、設定付加部１２４がこの印刷設定情報に基づき生成された画像符号情報を画像データに埋め込み（ステップＳ２０８）、複合機１の印刷部２０４による印刷を実行する（ステップＳ２０９）。
【００６８】
次いで、コピー時の処理の流れを図１２を用いて説明する。図１２は第１の実施形態で用いた図９とは、ステップＳ２１３，ステップＳ２１４，ステップＳ２１５、ステップＳ２１６の処理が異なっており、この点を中心に説明する。
【００６９】
ステップＳ２１３においては、設定回避部３３３は利用者に対してコピー原稿に埋め込まれた印刷設定情報に基づいて印刷するか否かを選択させる画面を表示させ、この選択がいずれであったかを判断する。印刷設定情報を回避すると選択された場合（ステップＳ２１３：Ｙｅｓ）、設定回避部３３３は、回避記憶部３２２の回避記憶テーブルに、文書ＩＤ、ユーザＩＤ，印刷日時情報を記憶する（ステップＳ２１４）。文書ＩＤとしては、例えば、回避した印刷設定情報の印刷設定識別ＩＤを用いることもできるし、元の印刷データの文書ごとに固有のＩＤを割り当て管理している場合は、このＩＤを用いることもできる。
【００７０】
一方、印刷設定情報を回避しない選択がされた場合（ステップＳ２１３：Ｎｏ）、ステップＳ２１５に移行し、継承処理部３３４は、原稿に設定された印刷設定情報を継承するか否かを印刷設定テーブルの継承情報の値から判断する（ステップＳ２１５）。印刷設定の情報を継承する場合、すなわち継承情報の値が「０」の場合（ステップＳ２１５：Ｙｅｓ）、ステップＳ２１７に移行しそのまま印刷処理を続行する。一方、刷設定の情報を継承しない場合、すなわち継承情報の値が「１」の場合（ステップＳ２１５：Ｎｏ）、継承処理部３３４は、取得した画像データに埋め込まれている画像符号情報を除去する（ステップＳ２１６）。除去する方法としては、画像符号情報が埋め込まれている位置を予め限定しておき、その領域に存在するデータを削除するといった方法を採ることができる。
【００７１】
画像符号情報を画像データから削除することで、コピーされた原稿の印刷設定条件は維持されるものの、原稿に画像符号情報が含まれないようになるので、こうした画像符号情報を見せたくない相手にコピー原稿を渡す場合などに適した印刷を行うことができるようになる。
【００７２】
また、原稿に埋め込まれた印刷設定情報を回避する場合にはその履歴を保存するようにしたことで、回避履歴を管理者などが監視することができるようになる。さらには、印刷設定情報をプリント用の印刷データ中のフォントサイズから自動的に設定することができるようにしたことから、利用者に意識させることなく印刷設定情報を決定することができる。
【００７３】
（第３の実施の形態）
第３の実施形態は、第２の実施形態と同様に、共有サーバ上に機能を持たせた形で実現されている。また、サーバ装置には第２の実施形態には含まれていない新たな機能が追加されている。以下詳細について図１３に基づき説明する。なお、図１０と同じ機能を有する構成については同様の符号を付与し、説明は省略する。
【００７４】
図１３に示されるように、記憶部３０２には、新たに印刷量記憶部４０１と、印刷量／印刷設定対応記憶部４０２とが含まれている。印刷量記憶部４０１は、図１４にて示される印刷量テーブルを有している。印刷量テーブルは、文書名と印刷量とが対応付けられて記憶されている。なお、文書名の代わりに前述した文書ＩＤを用いることもできる。ここでの印刷量のカウントの方法は、既存の方法を用いることができ、例えば、直近一ヶ月間の印刷量を計上してカウントする方法や、前月の印刷量を計上する方法を採ることができる。また、カウントの方法としては、該当する文書をプリントする際に、その印刷ジョブに含まれる画像データから照合して同じ文書が既に印刷されているかを検索し、同じ文章がある場合、印刷枚数をカウントする方法を採ることもできる。また、文章のファイル名から同じファイル名の文章があるかを検索し、同じファイル名の文章の印刷量を印刷枚数分だけ加算することもできる。また、プリント出力の印刷枚数だけではなく、コピーの際の印刷枚数もカウントに加えることもできる。
【００７５】
印刷量／印刷設定対応記憶部４０２には、図１５にて示される印刷量対応テーブルが含まれており、印刷量対応テーブルは、印刷量の範囲と印刷設定情報とが対応付けられて記憶されている。図１５に示された一例によれば、印刷量が「０〜５」の範囲の場合には、印刷設定情報として「カラー」「両面なし」「集約なし」が記憶されている。印刷量が「６〜１０」の範囲の場合には、印刷設定情報として「カラー」「両面印刷」「集約なし」が記憶されている。印刷量が「１１〜２０」の範囲の場合には、印刷設定情報として「モノクロ」「両面なし」「２  ｉｎ  １」が対応して記憶されている。印刷量が「２１以上」の範囲の場合には、印刷設定情報として「モノクロ」「両面印刷」「２  ｉｎ  １」が記憶されている。すなわち、本実施の形態においては、印刷量が６枚を超えた場合には、「両面印刷」が印刷設定情報として設定され、１１枚を超えた場合には、「モノクロ印刷」、「２  ｉｎ  １」の集約条件が設定されている。
【００７６】
制御部３０３は、画像有無判断部４０３と、カラー設定部４０４と、印刷量処理部４０５とを含んでいる。画像有無判断部４０３は、プリント出力の指示がされた印刷データに写真や図面などの絵柄画像が含まれるか否かを判断するものである。カラー設定部４０４は、プリント出力の際に原稿に付与する印刷設定情報として「カラー」の印刷色条件を付与する処理を行う。印刷量処理部４０５は、印刷量の値に応じて、プリント出力の際に原稿に付与する印刷設定情報を決定する処理を行う。印刷量処理部４０５は、使用枚数判断手段、及び節約設定手段に該当する。
【００７７】
続いて、第３の実施形態のプリント出力時の流れについて説明する。第１の実施形態、及び第２の実施形態と共通する処理については説明を省略する。なお、コピー時の処理の流れについては前述した実施形態と共通であるため、ここでは省略する。
【００７８】
図１６は、第３の実施形態におけるプリント時の処理の流れを示したフロー図である。
印刷量処理部４０５は、印刷量テーブルからプリント出力された印刷データの文書と同じファイル名のものを検索し、その印刷量を取得する（ステップＳ３０２）。次いで、印刷量処理部４０５は、取得した印刷量に基づき印刷量対応テーブル内を検索し、該当する印刷設定情報を取得する（ステップＳ３０３）。この取得した印刷設定情報は印刷記録部３２３に記録されるまで保持される。
【００７９】
次いで、画像有無判断部４０３は、取得した画像データに絵柄画像が含まれるか否かを解析し（ステップＳ３０４）、含まれる場合は（ステップＳ３０５：Ｙｅｓ）、次いで印刷量処理部４０５により保持されている印刷設定情報に含まれる情報のうち印刷色情報に関する内容が「カラー」であるかの判定が行われる（ステップＳ３０６）。
【００８０】
印刷量処理部４０５により保持されている印刷設定情報に含まれる印刷色情報が「カラー」でない場合（ステップＳ３０６：Ｎｏ）、カラー設定部４０４は印刷設定情報における印刷色情報を「カラー」に変更する（ステップＳ３０７）。そして、設定付加部１２４は、この変更された印刷設定情報を機械読み取り可能な形式に変換して画像符号情報を生成し、この生成した画像符号情報を印刷制御部１２６が取得した画像データに埋め込む（ステップＳ３０８）。この際、設定記憶部３２３は印刷設定情報を更新して印刷設定テーブルに記憶する。一方、印刷量処理部４０５により保持されている印刷設定情報に含まれる印刷色情報が「カラー」の場合（ステップＳ３０６：Ｙｅｓ）、印刷量処理部４０５によって保持されている印刷設定情報に基づき画像符号情報を生成し、この生成した画像符号情報を印刷制御部１２６が取得した画像データに埋め込む（ステップＳ３０８）。
【００８１】
以上のように、文書の印刷量から印刷設定情報を決定することすれば、印刷量の多い文章の印刷設定を変更して、より節約した形での印刷を行うことができるように自動的に変更することができ、一層の用紙及びトナーの節約が期待できる。また、印刷データに絵柄画像が含まれている場合に、印刷色情報を「カラー」に変更することとしたため、写真や図面がモノクロ印刷によって適切に印刷できないといった問題を回避することができる。
【００８２】
なお、自動的にプリント出力時の印刷設定情報を、フォントサイズや、絵柄画像の有無、該当文書の印刷量に応じて自動的に決めるようにする構成はこれらをそれぞれ組み合わせて行うことができる。それぞれの設定が互いに矛盾するような場合は、どちらの印刷設定を優先するかを決めることで処理を適切に行うことができるようになる。
【００８３】
なお、以上１〜３の各実施の形態の情報処理装置で実行される各処理を、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、情報処理装置で実行されるプログラムを、インターネット等のネットワークに接続されたコンピュータ上に格納し、ネットワーク経由でダウンロードさせることにより提供するように構成しても良い。また、本実施の形態の情報処理装置で実行される各処理をインターネット等のネットワーク経由で提供または配布するように構成しても良い。
【符号の説明】
【００８４】
１  複合機
１０  コントローラ
１５  バス
２０  操作表示部
５０  インターフェース
６０  エンジン部
１０１  通信部
１０２  記憶部
１０３  読取部
１０４  設定受付部
１０５  制御部
１０６  印刷部
１１１  権限記憶部
１１２  設定記憶部
１２１  画像データ取得部
１２２  設定抽出部
１２３  設定取得部
１２４  設定付加部
１２５  権限取得部
１２６  印刷制御部
１３０  クライアントＰＣ
１３１  原稿
１３２  画像部
１３４  画像符号情報
２００  複合機
２０１  通信部
２０２  読取部
２０３  設定受付部
２０４  印刷部
３００  サーバ装置
３０１  通信部
３０２  記憶部
３０３  制御部
３２１  フォントサイズ下限記憶部
３２２  回避記憶部
３２３  設定記憶部
３３１  集約条件設定部
３３２  最小値取得部
３３３  設定回避部
３３４  継承処理部
４０１  印刷量記憶部
４０２  印刷量／印刷設定対応記憶部
４０３  画像有無判断部
４０４  カラー設定部
４０５  印刷量処理部
【先行技術文献】
【特許文献】
【００８５】
【特許文献１】特開２００６−２６８８３７号公報
【図１】
2013093676.tif 000003
【図２】
2013093676.tif 000004
【図３】
2013093676.tif 000005
【図４】
2013093676.tif 000006
【図５】
2013093676.tif 000007
【図６】
2013093676.tif 000008
【図７】
2013093676.tif 000009
【図８】
2013093676.tif 000010
【図９】
2013093676.tif 000011
【図１０】
2013093676.tif 000012
【図１１】
2013093676.tif 000013
【図１２】
2013093676.tif 000014
【図１３】
2013093676.tif 000015
【図１４】
2013093676.tif 000016
【図１５】
2013093676.tif 000017
【図１６】
2013093676.tif 000018